(57)【特許請求の範囲】
【請求項１】
画像を生成する複数の画像生成装置と、前記画像生成装置から伝送された複数の画像を投影する画像投影装置とから構成される画像伝送システムであって、
前記画像投影装置は、
複数の前記画像生成装置との通信状態を監視する状態監視手段と、
前記状態監視手段の監視下にある通信状態に関する情報を生成するビーコン生成手段と、
前記生成された情報を前記画像生成装置に送信する送信手段とを備え、
前記画像生成装置は、
前記画像投影装置から前記情報を受信する受信手段と、
前記情報を解析する解析手段と、
前記解析手段の解析結果を表示する表示手段とを備え、
前記解析手段は、前記情報の発信元である画像投影装置を特定し、
前記画像生成装置は、さらに、
特定された画像投影装置に前記情報を受信したことを通知する通知手段を備え、
前記状態監視手段は、前記通知の数を前記画像投影装置に接続している前記画像生成装置の台数として計数し、
前記ビーコン生成手段は、前記台数を前記情報に含めて、前記情報を生成する
ことを特徴とする画像伝送システム。
【請求項２】
画像を生成する複数の画像生成装置と、前記画像生成装置から伝送された複数の画像を投影する画像投影装置とから構成される画像伝送システムであって、
前記画像投影装置は、
複数の前記画像生成装置との通信状態を監視する状態監視手段と、
前記状態監視手段の監視下にある通信状態に関する情報を生成するビーコン生成手段と、
前記画像投影装置を識別するためのユニークな識別子を割り当てるＩＤ割当手段と、
前記生成された情報を前記画像生成装置に送信する送信手段とを備え、
前記ビーコン生成手段は、前記識別子を前記情報に含めて、前記情報を生成し、
前記画像生成装置は、
前記画像投影装置から前記情報を受信する受信手段と、
前記情報を解析する解析手段と、
前記解析手段の解析結果を表示する表示手段と、
前記画像投影装置の識別子の指定を受け付けて、前記画像投影装置の存在位置を問い合わせる確認パケットを生成し、前記識別子が割り当てられている画像投影装置に送信する問合せ手段とを備え、
前記画像投影装置は、さらに、
前記確認パケットを受信する確認パケット受信手段と、
前記確認パケットを受信すると、前記確認パケットを受信したことに対して応答を出力する応答出力手段とを備える
ことを特徴とする画像伝送システム。
【請求項３】
前記応答出力手段が出力する応答は、ブザーの鳴動またはＬＥＤランプの点灯である
ことを特徴とする請求項２記載の画像伝送システム。
【請求項４】
画像を生成する複数の画像生成装置と、前記画像生成装置から伝送された複数の画像を投影する画像投影装置とから構成される画像伝送システムであって、
前記画像投影装置は、
前記画像生成装置により生成された画像を前記画像生成装置から受信して投影する投影手段と、
複数の前記画像生成装置との通信状態を監視する状態監視手段と、
前記状態監視手段の監視下にある通信状態に関する情報を生成するビーコン生成手段と、
前記生成された情報を前記画像生成装置に送信する送信手段とを備え、
前記画像生成装置は、
前記画像投影装置から前記情報を受信する受信手段と、
前記情報を解析する解析手段と、
前記解析手段の解析結果から、他の画像生成装置が前記画像投影装置に画像を送信中か否かを表示する表示手段とを備える
ことを特徴とする画像伝送システム。
【発明の詳細な説明】
【技術分野】
【０００１】
本発明は、パーソナルコンピュータ（以下、「ＰＣ」と表記する。）等の画像生成装置からプロジェクタ等の画像投影装置に送信される画像の伝送システムおよび伝送方法に関する。
【背景技術】
【０００２】
近年、ＰＣから画像信号を受信して、ＰＣの画面をスクリーン等に投影させるプロジェクタの普及が進んでいる。このプロジェクタは、ＰＣで編集したプレゼンテーション資料をスクリーン上に投影させることにより、伝えたい内容を視覚的に表現することができるので、会議や研修会等で多用されている。
【０００３】
通常、ＰＣとプロジェクタとは、ＲＧＢケーブルを介したアナログ接続により画像信号の受け渡しを行なっている。しかし、ＰＣとプロジェクタとを接続する手間がかかり、特に投影させたいデータが複数のＰＣに分かれて保存されている場合等には、その都度ＰＣとプロジェクタとの接続をやり直さなければならない。そこで、プロジェクタの使い勝手の改善を目的として、赤外線や無線ＬＡＮ等を介してＰＣからプロジェクタに画像信号を伝送するワイヤレス映像伝送装置が提案されており、また、複数台のＰＣからの画像信号を１台のプロジェクタに同時表示させるワイヤレス伝送システムも開示されている（例えば、特許文献１参照。）。
【特許文献１】特開２００３−３３０４３６号公報
【発明の開示】
【発明が解決しようとする課題】
【０００４】
しかしながら、上記のワイヤレス伝送システムでは、複数台のＰＣが存在する環境下において、ユーザは、自己のＰＣがプロジェクタに接続されているか否かを知ることはできても、接続されていない原因を知ることができない。すなわち、他のユーザのＰＣがプロジェクタに接続されているために自己のＰＣが接続されていないのか、それとも通信路に不具合が生じているために自己のＰＣが接続されていないのかを把握できない。
【０００５】
また、複数台のプロジェクタが存在する環境下において、ユーザは、どのプロジェクタに接続することができるか、または、どのプロジェクタに接続すべきかを知ることができない。
【０００６】
そこで、本発明は、上記問題点に鑑みなされたものであり、ユーザがＰＣとプロジェクタとの通信状態を把握することができる画像伝送システムを提供することを目的とする。
【課題を解決するための手段】
【０００７】
上記目的を達成するために、本発明に係る画像伝送システムは、画像を生成する複数の画像生成装置と、前記画像生成装置から伝送された複数の画像を投影する画像投影装置とから構成される画像伝送システムであって、前記画像投影装置は、前記画像生成装置により生成された画像を前記画像生成装置から受信して投影する投影手段と、複数の前記画像生成装置との通信状態を監視する状態監視手段と、前記状態監視手段の監視下にある通信状態に関する情報を生成するビーコン生成手段と、前記生成された情報を前記画像生成装置に送信する送信手段とを備え、前記画像生成装置は、前記画像投影装置から前記情報を受信する受信手段と、前記情報を解析する解析手段と、前記解析手段の解析結果から、生成された画像が前記画像投影装置に送信されることが可能か否かを表示する表示手段とを備えることを特徴とする。
また、上記目的を達成するために、本発明に係る画像伝送システムは、画像を生成する複数の画像生成装置と、前記画像生成装置から伝送された複数の画像を投影する画像投影装置とから構成される画像伝送システムであって、前記画像投影装置は、複数の前記画像生成装置との通信状態を監視する状態監視手段と、前記状態監視手段の監視下にある通信状態に関する情報を生成するビーコン生成手段と、前記生成された情報を前記画像生成装置に送信する送信手段とを備え、前記画像生成装置は、前記画像投影装置から前記情報を受信する受信手段と、前記情報を解析する解析手段と、前記解析手段の解析結果を表示する表示手段とを備えることを特徴とする。これによって、ＰＣは、プロジェクタから常時配信されるプロジェクタの通信状態に関する情報を受信して表示するので、ユーザは、ＰＣとプロジェクタとの通信状態を把握できるようになる。
【０００８】
ここで、前記解析手段は、前記情報の発信元である画像投影装置を特定し、前記画像生成装置は、さらに、特定された画像投影装置に前記情報を受信したことを通知する通知手段を備え、前記状態監視手段は、前記通知の数を前記画像投影装置に接続している前記画像生成装置の台数として計数し、前記ビーコン生成手段は、前記台数を前記情報に含めて、前記情報を生成するとしてもよい。これによって、ＰＣは、プロジェクタからプロジェクタへ接続しているＰＣの台数が含まれた情報を受信して表示するので、ユーザは、プロジェクタに接続している他のユーザがどれだけいるかを知ることができる。
【０００９】
また、前記画像投影装置は、さらに、前記画像投影装置を識別するためのユニークな識別子を割り当てるＩＤ割当手段を備え、前記ビーコン生成手段は、前記識別子を前記情報に含めて、前記情報を生成し、前記受信手段は、前記複数の画像投影装置から前記情報を受信し、前記解析手段は、前記識別子に基づいて前記情報の発信元である画像投影装置を特定し、前記表示手段は、前記特定された画像投影装置の前記識別子を表示するのが好ましい。これによって、ＰＣは、複数のプロジェクタが存在する環境下においても、どのプロジェクタに接続すればよいかを判断することが可能となる。
【００１０】
さらに、前記画像生成装置は、前記画像投影装置の識別子の指定を受け付けて、前記画像投影装置の存在位置を問い合わせる確認パケットを生成し、前記識別子が割り当てられている画像投影装置に送信する問合せ手段を備え、前記画像投影装置は、さらに、前記確認パケットを受信する確認パケット受信手段と、前記確認パケットを受信すると、前記確認パケットを受信したことに対して応答を出力する応答出力手段とを備える。これによって、ＰＣは、プロジェクタ側に確認パケットを送信し、確認パケットを受信したプロジェクタが応答するので、ユーザは、ＰＣ画面を送信すべきプロジェクタの存在位置を知ることができる。
【００１１】
なお、本発明は、このような画像伝送システムとして実現することができるだけでなく、このような画像伝送システムを構成する各装置が備える特徴的な手段をステップとする画像伝送方法として実現したり、それらのステップをコンピュータに実行させるプログラムとして実現したりすることもできる。そして、そのようなプログラムは、ＣＤ−ＲＯＭ等の記録媒体やインターネット等の伝送媒体を介して配信することができるのは言うまでもない。
【発明の効果】
【００１２】
このように、本発明に係る画像伝送システムによれば、ＰＣ側で、プロジェクタから常時配信されるプロジェクタの通信状態に関する情報を表示するので、ユーザは、ＰＣとプロジェクタとの通信状態を把握することが可能となる。
【００１３】
また、ＰＣからプロジェクタ側に確認パケットを送信し、確認パケットを受信したプロジェクタがブザーやＬＥＤランプ等によって応答するので、ユーザは、ＰＣ画面を送信すべきプロジェクタを知ることができる。
【発明を実施するための最良の形態】
【００１４】
以下、本発明を実施するための最良の形態について詳細に説明する。
図１は、本実施の形態に係る画像伝送システムの外観構成を示す図である。
【００１５】
この画像伝送システムは、ＰＣ１００からＰＣ１００の表示装置に表示されている画面をプロジェクタ２００に送信し、プロジェクタ２００でスクリーン２０に受信した画面を投影させるシステムであり、ＰＣ１００は、無線ＬＡＮチップが格納された無線ＬＡＮカード１０が取り付けられており、これによりネットワークを介してプロジェクタ２００に画像信号を送信する。
【００１６】
図２は、本実施の形態に係る画像伝送システムを構成するＰＣ１００およびプロジェクタ２００のハードウェア構成を示すブロック図である。
【００１７】
図２に示すように、ＰＣ１００は、ＣＰＵ１０１、メインメモリ１０２、記憶装置１０３、グラフィックスチップ１０４、ＶＲＡＭ１０５、ディスプレイ１１０に出力する出力ＩＦ１０６、キーボード１１１やマウス１１２等の入力装置からユーザの操作に基づく指示信号を取得するユーザＩＦ１０７、および、ＬＡＮ等のネットワークを経由してプロジェクタ２００やサーバ等と通信するためのインターフェースであるネットワークＩＦ１０８を備える。
【００１８】
プロジェクタ２００は、ＣＰＵ２０１、メインメモリ２０２、記憶装置２０３、グラフィックスチップ２０４、リサイズＬＳＩ２０５、ＶＲＡＭ２０６、ネットワークＩＦ２０７および出力装置２０８を備える。
【００１９】
図３は、本実施の形態に係る画像伝送システムを構成するＰＣおよびプロジェクタの機能的な構成を示すブロック図である。
【００２０】
図３に示すように、ＰＣ３００は、ＰＣ通信部３０１と、ビーコン解析部３０２と、表示出力部３０３とを備え、プロジェクタ４００は、プロジェクタ通信部４０１と、状態監視部４０２と、ホスト・ＩＤ割当部４０３と、応答出力部４０４とを備える。
【００２１】
ＰＣ通信部３０１は、プロジェクタ４００からプロジェクタ４００の通信状態に関する情報（ビーコン）を受信したり、プロジェクタ４００へ接続を要求する接続要求パケットや通信状態を問い合わせる確認パケット等を送信したりする処理部であり、ネットワークＩＦ１０８等によって実現される。
【００２２】
ビーコン解析部３０２は、ＰＣ通信部３０１が受信したビーコンを取得して解析する処理部であり、ＣＰＵ１０１やメインメモリ１０２等によって実現される。
【００２３】
表示出力部３０３は、ビーコン解析部３０２における解析結果を表示装置に出力する処理部であり、グラフィックスチップ１０４等によって実現される。
【００２４】
プロジェクタ通信部４０１は、ＰＣ３００にビーコンを送信したり、ＰＣ３００から接続要求パケット等を受信したりする処理部であり、ネットワークＩＦ２０７等によって実現される。
【００２５】
状態監視部４０２は、プロジェクタ４００の通信状態を監視してビーコンを生成したり、確認パケットを取得して応答出力部４０４に応答信号を出力したりする処理部であり、ＣＰＵ２０１等によって実現される。
【００２６】
ホスト・ＩＤ割当部４０３は、プロジェクタ４００の識別情報となるホスト名およびプロジェクタＩＤを割り当てる処理部であり、ＣＰＵ２０１等によって実現される。このホスト・ＩＤ割当部４０３は、例えば、プロジェクタ４００の初期設定において、ユーザからホスト名の入力を受け付けて、入力されたホスト名を割り当てる。また、ホスト・ＩＤ割当部４０３は、プロジェクタ４００の起動時に、その都度ネットワークＩＦ２０７に割り当てられているＭＡＣアドレスやＩＰアドレスに基づいて、ユニークなプロジェクタＩＤを割り当てる。
【００２７】
応答出力部４０４は、状態監視部４０２から応答信号を取得すると作動する報知器であり、ブザーやＬＥＤランプ等により実現される。
【００２８】
なお、ＰＣ通信部３０１およびプロジェクタ通信部４０１は、それぞれ１つ以上のプロジェクタ４００および１つ以上のＰＣ３００と通信可能になっている。
【００２９】
また、プロジェクタ４００では、投影画面を分割して複数台のＰＣの画面を同時に投影する画面分割表示（マルチ表示）と、１台のＰＣの画面をプロジェクタの全画面に投影する全画面表示とを切り替えて投影することができる。なお、プロジェクタ４００は、プロジェクタの全画面を時間的に分割して、複数台のＰＣの画面を投影するよう構成しても構わない。この場合、例えば、複数台のＰＣの画面を所定時間ごとに切り替えてプロジェクタの全画面に投影したり、複数台のＰＣの画面をＰＣからの操作により切り替えてプロジェクタの全画面に投影したりすることが可能である。
【００３０】
図４は、複数台のＰＣの画面を１台のプロジェクタに投影させている様子を示す図である。
【００３１】
図４では、４台のＰＣ５００、５００ａ、５００ｂおよび５００ｃから、それぞれＰＣ画面が、１台のプロジェクタ６００に送信され、プロジェクタ６００がスクリーン２０に受信したＰＣ画面を４分割して投影している様子が示されている。
【００３２】
図５は、１台のＰＣの画面をプロジェクタの全画面に投影させている様子を示す図である。
【００３３】
図５では、ＰＣ５００の表示画面を、プロジェクタ６００側で全画面表示としてスクリーン２０に投影している様子が示されている。
【００３４】
このように構成された画像伝送システムの処理動作について、以下説明する。
図６は、ＰＣ３００とプロジェクタ４００との通信シーケンス図である。
【００３５】
まずプロジェクタ４００が起動されると（Ｓ３０）、ホスト・ＩＤ割当部４０３は、ＭＡＣアドレスやＩＰアドレスに基づいて、ユニークなプロジェクタＩＤを設定する（Ｓ３２）。なお、ホスト名については、プロジェクタ４００の初期設定の段階で設定されたものがメインメモリ２０２に保持されていることとする。
【００３６】
次に、プロジェクタ４００は、状態監視部４０２において、通信状態の監視を開始し（Ｓ３４）、１つ以上のＰＣ３００にビーコンを一斉配信（ブロードキャスト）する（Ｓ３６）。
【００３７】
ビーコンを受信したＰＣ３００は、ビーコン解析部３０２において受信したビーコンを解析し、プロジェクタ４００との通信状態を表示出力部３０３を介して表示する（Ｓ３８）。
【００３８】
ここで、ＰＣ３００からプロジェクタ４００へ接続要求パケットを送信すると（Ｓ４０）、プロジェクタ４００は、状態監視部４０２において、通信状態を更新して（Ｓ４２）、更新された通信状態に基づいてビーコンを生成し、各ＰＣ３００にブロードキャストする（Ｓ４４）。
【００３９】
ビーコンを受信したＰＣ３００は、同様にビーコンを解析し、更新されたプロジェクタ４００との通信状態を表示出力部３０３を介して表示する（Ｓ４６）。
【００４０】
プロジェクタ４００は、所定の間隔Ｔ１（例えば、１秒毎）でビーコンを各ＰＣ３００に送信し（Ｓ４８）、プロジェクタ４００の通信状態を常時、各ＰＣ３００に通知する。
【００４１】
ここで、ＰＣ３００が確認パケットをプロジェクタ４００に送信した場合（Ｓ５０）、確認パケットを受信したプロジェクタ４００は、応答出力部４０４を作動させて応答を出力する（Ｓ５２）。
【００４２】
図７は、複数台のＰＣが１台のプロジェクタと通信する場合を説明するための図である。
【００４３】
図７では、１台のプロジェクタ４００と、プロジェクタ４００との接続が確立され、かつプロジェクタ４００に接続中のＰＣ３００と、プロジェクタ４００との接続が確立されていないＰＣ３００ａとが示されている。
【００４４】
ここで、接続が確立されているとは、ビーコンの送受信が可能な状態であることを意味し、接続が確立されていないとは、ビーコンの送受信が不可能な状態であることを意味する。
【００４５】
また、接続中とは、ＰＣ画面の送信をプロジェクタ４００に対して行なえる状態を意味し、接続中でないとは、ＰＣ画面の送信をプロジェクタ４００に対して、すぐには行なえない状態を意味する。例えば、ビーコンの送受信が可能な状態でありながら、プロジェクタ４００以外のプロジェクタに接続中の場合は、プロジェクタ４００とは接続中でない状態である。
【００４６】
プロジェクタ４００との接続が確立されているＰＣ３００では、ＰＣ画面７０中のランチャー７１にプロジェクタ４００との通信状態を示すための通信状態表示部７２が設けられている。すなわち、ＰＣ３００のユーザは、この通信状態表示部７２の表示態様により、プロジェクタ４００にＰＣ画面が送信可能であることを知ることができる。
【００４７】
同様に、プロジェクタ４００との接続が確立されていないＰＣ３００ａでは、ＰＣ画面７０ａ中のランチャー７１ａに通信状態表示部７２ａが設けられており、ＰＣ３００ａのユーザは、プロジェクタ４００にＰＣ画面を送信することができないことを知ることができる。
【００４８】
本図では、通信状態表示部７２および７２ａの表示態様として模様を用いているが（接続確立を水玉、接続未確立をクロス）、色を用いる、または、点滅させる等、様々な表示態様を用いることができる。また、ここでは、通信状態のステータスについて、接続確立と接続未確立の２種類を説明しているが、例えば、（１）自分のＰＣからプロジェクタへ画面を送信中、（２）プロジェクタへ画面送信可能、（３）接続が確立されているが、他ユーザがプロジェクタへ画面送信中のため画面送信不可、（４）接続が確立されていない等のステータスを、上記表示態様に意味づけすることもできる。
【００４９】
図８は、１台のＰＣが複数台のプロジェクタと通信する場合を説明するための図である。
【００５０】
図８では、１台のＰＣ３００と、ＰＣ３００と通信可能な状態となっている複数台のプロジェクタ４００および４００ａとが示されている。すなわち、ＰＣ３００は、プロジェクタ４００および４００ａから、それぞれビーコンを受信するようになっている。このとき、プロジェクタ４００および４００ａから送信されるビーコンには、それぞれのプロジェクタに割り当てられたホスト名とプロジェクタＩＤとが含まれており、ＰＣ３００は、ビーコン解析部３０２において、いずれのプロジェクタから送信されたビーコンであるかを判別している。
【００５１】
そして、ＰＣ３００は、ＰＣ画面８０中の通信状態表示ウィンドウ８１に、受信したビーコンの発信元のプロジェクタ一覧を表示する。
【００５２】
通信状態表示ウィンドウ８１には、ホスト名を表示する接続先フィールド８２と、プロジェクタＩＤを表示するＩＤフィールド８３、および、プロジェクタの通信状態を示す状態フィールド８４が含まれており、状態フィールド８４には、そのプロジェクタへ接続しているＰＣの数が視覚的に示されている。
【００５３】
本図では、プロジェクタ４００ａには、“Ｍｅｅｔｉｎｇ  Ｒｏｏｍ  １”というホスト名と、“Ｐｒｏｊ６１９”というプロジェクタＩＤが割り当てられ、どのＰＣとも接続されていない待機状態であることが通信状態表示ウィンドウ８１に示されている。また、プロジェクタ４００には、“Ｍｅｅｔｉｎｇ  Ｒｏｏｍ  ２”というホスト名と、“Ｐｒｏｊ０３７７”というプロジェクタＩＤが割り当てられ、３台のＰＣが接続中であることが通信状態表示ウィンドウ８１に示されている。
【００５４】
なお、このとき、プロジェクタ４００は、送信したビーコンへの接続中のＰＣ側からの応答数をカウントしており、その応答数を接続中のユーザ数として通信状態表示ウィンドウ８１に示している。例えば、もしＰＣの電源が切られた場合等には、そのＰＣはビーコンに応答しなくなるので、接続中のＰＣが減ることになる。
【００５５】
なお、接続中のＰＣからプロジェクタに定期的にパケットを送信することで、接続中であることをプロジェクタに知らせるとしてもよい。
【００５６】
また、接続が確立していればＰＣが応答するようにし、接続が確立しているＰＣの数を接続中のユーザ数として通信状態表示ウィンドウ８１に示してもよいし、実際に画像を受信しているＰＣの数を表示してもよい。
【００５７】
図９は、ＰＣからプロジェクタに確認パケットを送信した場合を説明するための図である。
【００５８】
図９では、１台のＰＣ３００と、ＰＣ３００からＰＣ画面を受信してスクリーン２０ａに投影させているプロジェクタ４００と、ＰＣ３００と通信可能な状態となっているプロジェクタ４００ａとが示されている。
【００５９】
ここで、ＰＣ３００は、ＰＣ画面中のランチャー９１に含まれる接続確認ボタン９２を押下する操作を受け付けると、プロジェクタ４００に確認パケットを送信する。そして、プロジェクタ４００は、確認パケットを受信すると、ＬＥＤランプ４１０を点灯させたり、ブザー４２０を鳴らしたりして、確認パケットに対して応答する。このとき、プロジェクタ４００は、割り当てられているプロジェクタＩＤをスクリーン２０ａのＩＤ表示部９３に表示させる等、応答したことを示す画面を表示させてもよい。
【００６０】
なお、ＰＣ３００は、図８に示した通信状態表示ウィンドウ８１に表示されているプロジェクタ一覧から所望のプロジェクタの指定を受け付けて、通信状態表示ウィンドウ８１に含まれる接続確認ボタンを押下する操作を受け付けることによって、確認パケットを指定されたプロジェクタに送信するようにしてもよい。
【００６１】
このように本実施の形態に係る画像伝送システムによれば、プロジェクタは、プロジェクタの通信状態に関する情報を通信可能なＰＣに常時配信し、ＰＣ側で配信されたプロジェクタの通信状態に関する情報を表示するので、ユーザは、自己のＰＣとプロジェクタとの通信状態を把握することができる。
【００６２】
また、ＰＣからホスト名等を指定してプロジェクタ側に確認パケットを送信すると、確認パケットを受信したプロジェクタがブザーやＬＥＤランプ等により応答するので、ユーザは、ＰＣ画面を送信すべきプロジェクタを知ることができる。
【００６３】
以上、本発明に係る画像伝送システムについて実施の形態に基づき説明したが、本発明は、この実施の形態に限定されるものではない。
【００６４】
例えば、上記実施の形態では、ＰＣとプロジェクタ間の通信は、無線ＬＡＮによるとしているが、有線ＬＡＮであってもよいことはいうまでもない。
【００６５】
また、画像投影装置としてプロジェクタを用いて説明したが、プラズマ・ディスプレイ・パネル等の表示装置としてもよい。
【産業上の利用可能性】
【００６６】
本発明に係る画像伝送システムは、画像生成装置であるＰＣ等から画像投影装置であるプロジェクタ等に画像を伝送するシステムに適用することができ、特に、ワイヤレスプロジェクタを用いたプレゼンテーション等を行なう際に好適である。
【図面の簡単な説明】
【００６７】
【図１】図１は、本発明の実施の形態に係る画像伝送システムの外観構成を示す図である。
【図２】図２は、画像伝送システムを構成するＰＣおよびプロジェクタのハードウェア構成を示すブロック図である。
【図３】図３は、本実施の形態に係る画像伝送システムを構成するＰＣおよびプロジェクタの機能的な構成を示すブロック図である。
【図４】図４は、複数台のＰＣの画面を１台のプロジェクタに投影させている様子を示す図である。
【図５】図５は、１台のＰＣの画面をプロジェクタの全画面に投影させている様子を示す図である。
【図６】図６は、ＰＣとプロジェクタとの通信シーケンス図である。
【図７】図７は、複数台のＰＣが１台のプロジェクタと通信する場合を説明するための図である。
【図８】図８は、１台のＰＣが複数台のプロジェクタと通信する場合を説明するための図である。
【図９】図９は、ＰＣからプロジェクタに確認パケットを送信した場合を説明するための図である。
【符号の説明】
【００６８】
１０    無線ＬＡＮカード
２０、２０ａ    スクリーン
３０、５０    表示画面
７０、７０ａ、８０    ＰＣ画面
７１、７１ａ、９１    ランチャー
７２、７２ａ    通信状態表示部
８１    通信状態表示ウィンドウ
８２    接続先フィールド
８３    ＩＤフィールド
８４    状態フィールド
９２    接続確認ボタン
９３    ＩＤ表示部
１００、３００、３００ａ    ＰＣ
１０１、２０１    ＣＰＵ
１０２、２０２    メインメモリ
１０３、２０３    記憶装置
１０４、２０４    グラフィックスチップ
１０５、２０６    ＶＲＡＭ
１０６    出力ＩＦ
１０７    ユーザＩＦ
１０８、２０７    ネットワークＩＦ
１１０    ディスプレイ
１１１    キーボード
１１２    マウス
３０１    ＰＣ通信部
３０２    ビーコン解析部
３０３    表示出力部
２００、４００、４００ａ    プロジェクタ
２０５    リサイズＬＳＩ
２０８    出力装置
４０１    プロジェクタ通信部
４０２    状態監視部
４０３    ホスト・ＩＤ割当部
４０４    応答出力部
４１０    ＬＥＤランプ
４２０    ブザー
【図１】
0004960089.tif 000002
【図２】
0004960089.tif 000003
【図３】
0004960089.tif 000004
【図４】
0004960089.tif 000005
【図５】
0004960089.tif 000006
【図６】
0004960089.tif 000007
【図７】
0004960089.tif 000008
【図８】
0004960089.tif 000009
【図９】
0004960089.tif 000010